(57)【要約】【課題】ベーンせん断強度試験において、トルク検出器をベーンに直結させることにより、従来、ロッドの周面摩擦力が、測定値に影響していた問題を解決し、深度に関係なく、ロッドの周面摩擦力の影響を受けない正確な測定を可能にする。また、トルクが生じる位置を変位角の０点とする操作上の問題について、角度盤をスライドさせる構造により設定を容易にした。【解決手段】回転ロッド４と同径のトルク検出器及びそのコードを地上に引き出すための中空の回転ロッド、ならびに回転角を読み取るスライド目盛板で構成される。【選択図】図１
0003103524.tif 000002
【実用新案登録請求の範囲】
【請求項１】
中空のロッド▲４▼に直結したトルクメーター▲１▼に、廻り止め機能をもったジョイント▲２▼を用いてベーン▲３▼を取り付け、測定深さまでロッド▲４▼を降ろし、チャック▲５▼で固定して土のせん断トルクを計測する機構（図−１）
【請求項２】
測定開始位置に、０点を任意に合わせることができる角度・目盛板▲９▼の目視による角度測定と、回転を伝える歯車▲６▼に、バネで噛み合わされている小歯車▲７▼に直結した角度検出器▲８▼で、電気的に角度測定を行う角度計測機構（図−１）
【考案の詳細な説明】
【０００１】
［産業上の利用分野］
この考案は、要求される任意の深さにおける土質について、試料を採取することなく、原位置でその土のせん断力を調べるものである。
【０００２】
［従来の技術］
【０００３】トルクは、回転力を与える部分で間接的に測定されている。
（図−３）
【０００４】回転力負荷装置と一体となった目盛板で、角度を測定している。
【０００５】
［考案が解決しようとする課題］
【０００６】原位置ベーンせん断試験では、測定深度に応じロッドが長くなるので、ロッドの周面摩擦力が発生するが、トルクを回転力負荷装置の位置で計測するため、ロッドの周面摩擦力が共に計測され、真のベーントルクの正確な計測が難しいという問題があった。（図−４）
【０００７】また、角度目盛板が、回転力負荷装置と一体であるので、角度０点が、トルク０点と一致しない場合、絶対値は差動角を読み取らねばならない。
【０００８】
［課題を解決するための手段］
【０００９】ロッドの先端にトルクメーターを取り付け、ベーンはトルクメーターに直結し、深度に応じロッドは上方に連結できる構造とする。
【００１０】トルクメーターのコードは、ロッドの中を通し地上へ取り出す。
【００１１】角度目盛板を、チャックに内接する円のドーナツ型とし、回転負荷装置に固定しない構造とし、任意に０点をセットできるものとする。
【００１２】
［考案の効果］
【００１３】この考案により、土の原位置ベーンせん断試験において、以下の２点が改善され、測定データの正確性と試験の作業効率を向上させることができる。
【００１４】ロッド先端にトルクメーターを取り付け、ベーンを直結することにより、ロッドの周面摩擦が、計測されたトルクデータに影響されず、正確なトルクが測定される。
【００１５】上項により、測定深度に応じてロッド全長が長くなっても、原位置におけるベーンによるトルクが計測される。
【００１６】角度目盛板の０点セットを任意にすることで、トルクが発生した点を角度変位の０点にすることが容易になり、トルク−変位グラフデータが、正確に得られる。
【図面の簡単な説明】
【図１】ベーンせん断試験機の構造図である。
【図２】ベーンせん断試験機の平面図である。
【図３】従来の技術に関する説明図である。
【図４】解決しようとする課題の説明図である。
【符号の説明】
（１）    トルクメーター
（２）    ジョイント
（３）    ベーン
（４）    ロッド
（５）    チャック
（６）    回転を伝える歯車
（７）    小歯車
（８）    角度検出器
（９）    角度目盛板
（１０）  指示計
【図１】
0003103524.tif 000003
【図２】
0003103524.tif 000004
【図３】
0003103524.tif 000005
【図４】
0003103524.tif 000006
【手続補正書】
【提出日】平成16年3月3日(2004.3.3)
【手続補正１】
【補正対象書類名】明細書
【補正対象項目名】実用新案登録請求の範囲
【補正方法】変更
【補正の内容】
【実用新案登録請求の範囲】
【請求項１】
土のせん断トルクを計測する機構であって、中空のロッド▲４▼に直結したトルクメーター▲１▼に、廻り止め機能をもったジョイント▲２▼を用いてベーン▲３▼を取り付け、測定深さまでロッド▲４▼を降ろし、チャック▲５▼で固定して計測する土のせん断トルク計測機構。
【請求項２】
土のせん断トルクを計測するための角度計測機構が電気的に角度測定を行う角度計測機構であることを特徴とする請求項１記載のせん断トルクを計測する機構であって、測定開始位置に、０点を任意に合わせることができる角度・目盛板▲９▼の目視による角度測定と、回転を伝える歯車▲６▼に、バネで噛み合わされている小歯車▲７▼に直結した角度検出器▲８▼で角度を計測する土のせん断トルク計測機構。
【手続補正２】
【補正対象書類名】明細書
【補正対象項目名】考案の詳細な説明
【補正方法】変更
【補正の内容】
【考案の詳細な説明】
【０００１】
【産業上の利用分野】この考案は、要求される任意の深さにおける土質について、
試料を採取することなく、原位置でその土のせん断力を調べるものである。
【０００２】
【従来の技術】
【０００３】トルクは、回転力を与える部分で間接的に測定されている。
（図−３）
【０００４】回転力負荷装置と一体となった目盛板で、角度を測定している。
【０００５】
【考案が解決しようとする課題】
【０００６】原位置ベーンせん断試験では、測定深度に応じロッドが長くなるので、ロッドの周面摩擦力が発生するが、トルクを回転力負荷装置の位置で計測するため、ロッドの周面摩擦力が共に計測され、真のベーントルクの正確な計測が難しいという問題があった。（図−４）
【０００７】また、角度目盛板が、回転力負荷装置と一体であるので、角度０点がトルク０点と一致しない場合、絶対値は差動角を読み取らねばならない。
【０００８】
【課題を解決するための手段】
【０００９】ロッドの先端にトルクメーターを取り付け、ベーンはトルクメーターに直結し、深度に応じロッドは上方に連結できる構造とする。
【００１０】トルクメーターのコードは、ロッドの中を通し地上へ取り出す。
【００１１】角度目盛板を、チャックに内接する円のドーナツ型とし、回転負荷装置に固定しない構造とし、任意に０点をセットできるものとする。
【００１２】
【考案の効果】
【００１３】この考案により、土の原位置ベーンせん断試験において、以下の２点が改善され、測定データの正確性と試験の作業効率を向上させることができる。
【００１４】ロッド先端にトルクメーターを取り付け、ベーンを直結することにより、ロッドの周面摩擦が、計測されたトルクデータに影響されず、正確なトルクが測定される。
【００１５】上項により、測定深度に応じてロッド全長が長くなっても、
原位置におけるベーンによるトルクが計測される。
【００１６】角度目盛板の０点セットを任意にすることで、トルクが発生した点を角度変位の０点にすることが容易になり、トルク−変位グラフデータが、正確に得られる。
［図面の簡単な説明］
【図１】ベーンせん断試験機の構造図である。
【図２】ベーンせん断試験機の平面図である。
【図３】従来の技術に関する説明図である。
【図４】解決しようとする課題の説明図である。
【符号の説明】
（１）    トルクメーター
（２）    ジョイント
（３）    ベーン
（４）    ロッド
（５）    チャック
（６）    回転を伝える歯車
（７）    小歯車
（８）    角度検出器
（９）    角度目盛板
（１０）  指示計


【手続補正３】
【補正対象書類名】図面
【補正対象項目名】全図
【補正方法】変更
【補正の内容】
【図１】
0003103524.tif 000007
【図２】
0003103524.tif 000008
【図３】
0003103524.tif 000009
【図４】
0003103524.tif 000010